(57)【要約】【課題】本発明は、アッパパネルＵＰの打抜き性を確保しつつ、ロアパネルＬＰとのインタロック性を十分に確保して、高強度の継手を得るとともに、一つのダイＤの仕様により数種類の板組みの組み合わせ等に対応できるセルフピアッシングリベット締結装置１および締結方法を提供することを課題とする。【解決手段】積層された被締結板材ＵＰ，ＬＰを載置するダイＤと、前記ダイＤに対向して設けられたポンチＰと、前記セルフピアッシングリベットＳＰＲを前記被締結板材ＵＰ，ＬＰに打ち込むように前記ダイＤおよび／または前記ポンチＰを駆動制御する駆動機構Ｓとを備えるセルフピアッシングリベット締結装置１において、前記ダイＤは、その軸線Ｃに沿って貫通する貫通穴Ｄ４を有するキャビティ凹部Ｄ２と、前記貫通穴Ｄ４に挿入され受圧面Ｄ１と同一面近傍からキャビティ凹部Ｄ２の底面近傍まで軸線Ｃに沿って進退自在な中央ピンＤ３とを有するように構成する。【選択図】　図１
2004017092.tif 000002
【特許請求の範囲】
【請求項１】
積層された被締結板材を載置するダイと、前記ダイに対向して設けられたポンチと、前記セルフピアッシングリベットを前記被締結板材に打ち込むように前記ダイおよび／または前記ポンチを駆動する駆動機構と、を備えるセルフピアッシングリベット締結装置において、
前記ダイは、その軸線に沿って貫通する貫通穴を有するキャビティ凹部と、前記貫通穴に挿入され受圧面と同一面近傍からキャビティ凹部の底面近傍まで軸線に沿って進退自在な中央ピンとを有することを特徴とするセルフピアッシングリベット締結装置。
【請求項２】
キャビティ凹部に軸線に沿って進退自在な中央ピンを有するダイに積層された被締結板材を載置して、セルフピアッシングリベットを打ち込む締結方法であって、
前記中央ピンが前記ダイの受圧面と同一面近傍に位置して、前記セルフピアッシングリベットが前記被締結板材のアッパパネルを打ち抜くまで被締結板材を支持する工程と、
前記中央ピンがキャビティ凹部の底面近傍まで移動して、前記被締結板材が前記キャビティ凹部内に充填される工程と、
前記中央ピンがキャビティ凹部内の任意の位置まで移動して、セルフピアッシングリベットの脚部の先端部を径方向に押し広げる工程と、
を有することを特徴とするセルフピアッシングリベット締結方法。
【発明の詳細な説明】
【０００１】
【発明の属する技術分野】
本発明は、積層された被締結板材をセルフピアッシングリベットにより締結させるためのセルフピアッシングリベット締結装置および締結方法に関するものである。
【０００２】
【従来の技術】
自動車等の分野において、車体の金属薄板同士を締結するためにセルフピアッシングリベットが使用されることがある。
セルフピアッシングリベットとは、金属薄板同士を締結する際に、リベットの脚部が最下層の金属薄板を噛み込んで朝顔状に展開し、金属板同士を締結するリベットのことである。
【０００３】
本出願人は、このようなセルフピアッシングリベットのかしめ機（セルフピアッシングリベット締結装置）として、特願２００１−３９７３６３および特願２００１−３９５６９１をすでに出願済である。
【０００４】
特願２００１−３９７３６３（未公開）に記載の発明は、上板（アッパパネル）打ち抜き中にダイ中央部を上昇させておくことでワークを支持するため、ワーク打抜き性を向上させ、ワークを締結中にダイ中央部を下降させることにより、板厚に対して最適なダイ体積とすることができるため、リベットの座屈を抑制することができる。
【０００５】
特願２００１−３９５６９１（未公開）に記載の発明は、ダイ外周部を打抜き荷重に合わせて下降させ、締結終盤で中央ピンが外周部と同一の平面上より上にワークを押し上げることでリベットの脚部の先端部が径方向に押し広がるため、リベット脚部の下板（ロアパネル）に対する充分なインタロック性を確保することができる。
【０００６】
【発明が解決しようとする課題】
しかしながら、前記セルフピアッシングリベットかしめ機では、以下の問題が存在していた。
特願２００１−３９７３６３に記載の発明では、上板打ち抜き中にダイ中央部を上昇させておくことで上板打抜き性は確保することができるものの、リベット脚部の先端部を径方向に押し広げる手段がないため、上板と下板との締結力、すなわちインタロック性に改良すべき点があることが見出された。
また、特願２００１−３９５６９１に記載の発明では、締結終盤で中央ピンが外周部と同一平面上より上にワークを押し上げることでリベットの脚部の先端部を径方向に押し広げ、充分なインタロック性を確保することが可能であるが、接合初段階の上板打抜き性を向上させることに改良すべき点があることが見出された。
とくに、下板板厚比率が小さい板組みや３枚重ねの板組みにおいては、上板打抜き性や下板に対するインタロック性は充分に確保する必要がある。
【０００７】
一方、従来のセルフピアッシングリベットかしめ機では、充分な締結力を得るためには、ダイについて、セルフピアッシングリベットの形状や板組みの組み合わせ等により、それに合った仕様に変える必要があり、施工するときの工程が多くなるという問題があった。
【０００８】
そこで、本発明は前記問題を解決すべく、アッパパネルの打抜き性を確保しつつ、ロアパネルとのインタロック性を充分に確保して、高強度の継手を得るとともに、一つのダイの仕様により複数種類の板組みの組み合わせ等に対応できるセルフピアッシングリベット締結装置および締結方法を提供することを課題とする。
【０００９】
【課題を解決するための手段】
本発明は、前記課題を解決すべく構成されるものであり、第１の発明は、積層された被締結板材を載置するダイと、前記ダイに対向して設けられたポンチと、前記セルフピアッシングリベットを前記被締結板材に打ち込むように前記ダイおよび／または前記ポンチを駆動する駆動機構と、を備えるセルフピアッシングリベット締結装置において、前記ダイは、その軸線に沿って貫通する貫通穴を有するキャビティ凹部と、前記貫通穴に挿入され受圧面と同一面近傍からキャビティ凹部の底面近傍まで軸線に沿って進退自在な中央ピンとを有することを特徴とする。
【００１０】
第１の発明によれば、ダイが有する中央ピンがキャビティ凹部内で軸線に沿って進退自在であることから、アッパパネル打ち抜き中は、中央ピンが受圧面と同一面近傍に位置することにより被締結板材を支持し、アッパパネルの打抜き性を確保することができる。また、その後、中央ピンがキャビティ凹部の底面近傍まで移動することにより、被締結板材がキャビティ凹部に充填され、その結果、セルフピアッシングリベットの脚部にかかる応力が軽減され、その座屈を抑制することができる。さらに、被締結板材がキャビティ凹部に充填された後、中央ピンを任意の位置まで移動させることにより、リベット脚部の先端部を径方向に押し広げることができ、充分なインタロック性を確保するとともに、リベット頭部によってアッパパネルの充分な押さえを確保することができる。なお、同一面近傍とは、アッパパネルに対し、十分保持できる位置であり、底面近傍とは、キャビティ内に被締結板材が塑性流動するのに対し、障害にならない位置をいう。また、任意の位置とは、インタロック性を充分に確保できる位置という意味であり、それぞれの位置は、板組みや材質、加工速度などによって、適宜設定される。
【００１１】
前記課題を解決すべく、第２の発明は、キャビティ凹部に軸線に沿って進退自在な中央ピンを有するダイに積層された被締結板材を載置して、セルフピアッシングリベットを打ち込む締結方法であって、前記中央ピンが前記ダイの受圧面と同一面近傍に位置して、前記セルフピアッシングリベットが前記被締結板材のアッパパネルを打ち抜くまで被締結板材を支持する工程と、前記中央ピンがキャビティ凹部の底面近傍まで移動して、前記被締結板材が前記キャビティ凹部内に充填される工程と、前記中央ピンがキャビティ凹部内の任意の位置まで移動して、セルフピアッシングリベットの脚部の先端部を径方向に押し広げる工程とを有することを特徴とする。
【００１２】
第２の発明によれば、アッパパネルを打ち抜くまで中央ピンがダイの受圧面と同一面近傍に位置するため、アッパパネル打抜き性を確保することができる。また、その後、中央ピンがキャビティ凹部の底面近傍まで移動することにより、被締結板材がキャビティ凹部内に充填され、その結果、リベット脚部にかかる応力が軽減され、その座屈を回避することができる。さらに、その後、中央ピンがキャビティ凹部内の任意の位置まで移動することにより、リベット脚部の先端部を径方向に押し広げることができ、充分なインタロック性を確保するとともに、リベット頭部によってアッパパネルの充分な押さえを確保することができる。なお、同一面近傍、底面近傍、任意の位置については、前記した第１の発明での意味と同じ意味である。
【００１３】
【発明の実施の形態】
以下、図面を参照して、本発明の実施形態について詳細に説明する。参照する図面において、図１（ａ）は、本発明の実施形態に係るセルフピアッシングリベット締結装置の斜視図、（ｂ）は、セルフピアッシングリベットの斜視図である。また、図２（ａ）は、本発明の実施形態に係るセルフピアッシングリベット締結装置のダイの斜視図、（ｂ）は、ダイが有する中央ピンの拡大斜視図である。
【００１４】
図１（ａ）に示すように、本発明の実施形態に係るセルフピアッシングリベット締結装置１は、セルフピアッシングリベットＳＰＲを被締結板材として重ねられたアッパパネルＵＰおよびロアパネルＬＰに対して打ち込むための装置である。このセルフピアッシングリベットＳＰＲは、図１（ｂ）に示すように、拡径した円形の頭部Ｈとこの頭部Ｈから延出される脚部Ｌとを有している。本例においては、脚部Ｌは内部がくり抜かれた円筒となっているが、必ずしも中空円筒である必要はなく、たとえば、脚部Ｌは端面に所定形状の窪みを有するものや、スリットを有するものでもよい。
【００１５】
まず、本発明の実施形態に係るセルフピアッシングリベット締結装置１の構成について説明する。図１（ａ）に示すように、セルフピアッシングリベット締結装置１は、積層された被締結板材を載置するダイＤと、ダイＤに対向して設けられるポンチＰと、ダイＤに向かってポンチＰを押圧する駆動機構Ｓとを備える。
【００１６】
ダイＤは、図２（ａ）に示すように、キャビティ凹部Ｄ２と、中央ピンＤ３とを有する。
キャビティ凹部Ｄ２は、ダイＤの中央にロアパネルＬＰおよびアッパパネルＵＰが充填されるために形成されるものである。形状は、円形状の凹部となるよう形成されており、その中央には、ダイＤの軸線Ｃに沿って、貫通する貫通穴Ｄ４を有している。
【００１７】
中央ピンＤ３は、図２（ｂ）に示すように、キャビティ凹部Ｄ２内に突出する部分が柱状をしており、その先端がセルフピアッシングリベットＳＰＲの脚部Ｌの先端部を径方向に押し広げるため、なだらかな山形に形成されている。また、中央ピンＤ３のキャビティ凹部Ｄ２内に突出しない部分は、中央ピンＤ３の移動手段に接続できるよう、キャビティ凹部Ｄ２内に突出する部分よりも一回り大きな柱状に形成されている。
中央ピンＤ３は、キャビティ凹部Ｄ２の貫通穴Ｄ４に挿入され、受圧面Ｄ１と同一面近傍からキャビティ凹部Ｄ２の底面近傍まで軸線に沿って進退自在に移動が可能である。ここで、受圧面Ｄ１とは、キャビティ凹部Ｄ２の凹部上面の外周に位置し、載置される被締結板材を支持する面である。なお、中央ピンＤ３がキャビティ凹部Ｄ２内を進退自在に移動する手段としては、たとえば、油圧機構やラック＆ピニオン等のギヤ機構を用いることができる。
中央ピンＤ３の材質については、被締結板材の硬さに負けないある程度の硬度が必要であり、たとえば、鉄等の金属、殊に鉄にタングステン、コバルト、バナジウムを添加した高速度鋼が好適に用いられる。
【００１８】
図１（ａ）に示すポンチＰは、駆動機構Ｓにより、セルフピアッシングリベットＳＰＲを保持したまま、ダイＤの方向に進退自在であり、ポンチＰを押圧することにより、セルフピアッシングリベットＳＰＲをダイＤに載置された被締結板材に打ち込むことができる。
図１（ａ）ではポンチＰの形状を円柱で表現しているが、セルフピアッシングリベットＳＰＲを保持して被締結板材に打ち込むことができるものであればよく、とくに限定されるものではない。
ポンチＰおよびダイＤの材質については、たとえば、前記した高速度鋼が好適に用いられる。
【００１９】
駆動機構Ｓは、ポンチＰをダイＤに向けて進退自在に駆動制御し、および中央ピンＤ３を軸線Ｃに沿って移動させるよう駆動制御するものである。図４に示すように、駆動機構Ｓは、ポンチＰおよび中央ピンＤ３を駆動させる信号を制御するための制御装置１１と、制御装置１１から供給されたポンチ駆動信号と中央ピン駆動信号に従って、ポンチＰおよび中央ピンＤ３をそれぞれ駆動させるポンチ用アクチュエータ１２と中央ピン用アクチュエータ１３とを備える。
制御装置１１は、ＣＰＵ、ＲＡＭ、ＲＯＭ、入出力インターフェイス等から構成され、図５のフローチャートに示されるプログラムを実行する。なお、制御装置１１は、ポンチＰの位置を検出するポンチ位置センサ１４を備えることが好ましい。また、ポンチ用アクチュエータ１２および中央ピン用アクチュエータ１３は、たとえば、油圧機構における油圧室に油圧を供給する電磁弁やギヤ機構におけるギヤを駆動するモータである。
【００２０】
次に、図面を参照して、セルフピアッシングリベット締結装置１を用いて、セルフピアッシングリベットＳＰＲにより被締結部材を締結する動作について説明する。図３の各図は、本実施形態にかかるセルフピアッシングリベット締結装置１を用いたセルフピアッシングリベットＳＰＲによる被締結板材の締結工程図である。
図３（ａ）は、ダイＤに被締結板材を載置した断面図である。
締結直前においては、アッパパネルＵＰとロアパネルＬＰを積層した被締結板材は、ダイＤの受圧面Ｄ１と受圧面Ｄ１と同一面近傍に位置する中央ピンＤ３によって支持されている。被締結板材は、たとえばアルミニウム合金等であるが、これに限定されるものではない。
【００２１】
次に、図３（ｂ）は、セルフピアッシングリベットＳＰＲがアッパパネルＵＰを打ち抜く際の断面図である。
締結初期段階においては、中央ピンＤ３は、受圧面Ｄ１と同一面近傍に位置する。したがって、被締結板材がダイＤの受圧面Ｄ１とその同一面近傍に位置する中央ピンＤ３によって支持されながら、セルフピアッシングリベットＳＰＲを保持したポンチＰが被締結板材を載置したダイＤに向けて押圧されることにより、セルフピアッシングリベットＳＰＲがアッパパネルＵＰを打ち抜く。この締結初期（貫通）段階においては、被締結板材の変形はいまだほとんど生じていない。
【００２２】
図３（ｃ）は、セルフピアッシングリベットＳＰＲが打ち込まれた被締結板材がキャビティ凹部Ｄ２内に充填される際の断面図である。
セルフピアッシングリベットＳＰＲが、アッパパネルＵＰを打ち抜いた後は、中央ピンＤ３はキャビティ凹部Ｄ２の底面近傍まで移動して、ポンチＰがさらに押圧される。これにより、被締結板材は、キャビティ凹部Ｄ２内に塑性流動して充填される。
【００２３】
図３（ｄ）は、中央ピンＤ３が所定の位置まで移動することにより、セルフピアッシングリベットＳＰＲの脚部Ｌの先端部を径方向に押し広げ、締結が完了した際の断面図である。
被締結板材がキャビティ凹部Ｄ２内に充填された後、ポンチＰを依然として押圧した状態で、再び、中央ピンＤ３を任意の位置まで上昇させる。ここで、任意の位置とは、中央ピンＤ３の移動により、セルフピアッシングリベットＳＰＲの脚部Ｌの先端部を径方向に押し広げ、充分にアッパパネルＵＰとロアパネルＬＰの締結を図ることができる位置をいう。これにより、セルフピアッシングリベットＳＰＲの脚部Ｌ内に打ち抜いた被締結板材を充填させながら密着させるとともに、セルフピアッシングリベットＳＰＲの脚部Ｌの先端部を被締結板材を介して径方向に押し広げる。この結果、セルフピアッシングリベットＳＰＲの脚部Ｌの先端部はロアパネルＬＰを貫通することなくその内側にとどまり、インタロック性を確保することができる。
【００２４】
なお、図３に示される動作は、図５の駆動機構Ｓを駆動するためのフローチャートに従って、自動的に行われる。初期状態においては、図３（ａ）に示すように、セルフピアッシングリベットＳＰＲを保持したポンチＰが被締結板材上に位置し、中央ピンＤ３は、受圧面Ｄ１と同一面近傍に位置する。
まず、駆動機構Ｓの制御装置１１にスタート信号が入力され（Ｓ１）、制御装置１１は、ポンチ用アクチュエータ１２にポンチを下降させるためのポンチ駆動信号を送信する（Ｓ２）。そして、ポンチ用アクチュエータ１２によって、ポンチ駆動信号は駆動力に変換され、ポンチＳは、図３（ｂ）の位置まで下降する（Ｓ３）。図３（ｂ）の位置まで下降していなかった場合（Ｓ３で「Ｎｏ」）には、再度同じ動作（Ｓ３）を繰り返す。なお、ポンチＰが、図３（ｂ）の位置まで下降したかどうかのポンチＰの位置については、ポンチ位置センサ１４を用いて、検出することができる。次に、ポンチＰが、図３（ｂ）の位置まで下降したら（Ｓ３で「Ｙｅｓ」）、制御装置１１は、中央ピン用アクチュエータに中央ピンＤ３を下降させるための中央ピン駆動信号を送信する（Ｓ４）。そして、中央ピン用アクチュエータ１３によって、中央ピン駆動信号は駆動力に変換され、中央ピンＤ３は、図３（ｃ）の位置まで下降する（Ｓ５）。この位置まで下降していなかった場合（Ｓ５で「Ｎｏ」）には、再度同じ動作（Ｓ５）を繰り返す。
【００２５】
中央ピンＤ３が図３（ｃ）の位置まで下降したら（Ｓ５で「Ｙｅｓ」）、制御装置１１は、ポンチＰの位置を保持させるためのポンチ駆動信号をポンチ用アクチュエータ１２に送信して（Ｓ６）、ポンチＰを保持し、一方で、中央ピンＤ３を上昇させるための中央ピン駆動信号を中央ピンアクチュエータ１３に送信することにより（Ｓ７）、中央ピンＤ３を上昇させる。この段階（Ｓ７）では、中央ピンＤ３が図３（ｄ）の位置まで上昇するまで、中央ピン駆動信号を所定時間送信する（Ｓ８）。
中央ピンＤ３が、図３（ｄ）の位置まで上昇したら（Ｓ８で「Ｙｅｓ」）、図には示さないが中央ピンＤ３の上昇を停止させ、その後、ポンチＰを上昇させるためのポンチ駆動信号を送信し（Ｓ９）、ポンチＰを上昇させ、初期状態に戻して、駆動機構Ｓの一連の動作を終了する。
【００２６】
以上によれば、本実施形態において、次のような効果を得ることができる。
締結初期段階において、中央ピンＤ３がダイＤの受圧面Ｄ１と同一面近傍に位置することにより、セルフピアッシングリベットＳＰＲがアッパパネルＵＰを打ち抜くまで中央ピンＤ３が被締結板材を支持することができ、打抜き性を確保することができる。
また、その後、中央ピンＤ３がキャビティ凹部Ｄ２の底面近傍まで移動することにより、被締結板材がキャビティ凹部Ｄ２内に塑性流動して充填される。この際、中央ピンＤ３の移動により、被締結板材に食い込んだセルフピアッシングリベットＳＰＲの脚部Ｌにかかる応力を軽減でき、脚部Ｌの先端部の座屈を回避することができる。
さらに、中央ピンＤ３が所定の位置まで上昇することにより、被締結板材をセルフピアッシングリベットＳＰＲの脚部Ｌ内に充填させ密着させることができるとともに、セルフピアッシングリベットＳＰＲの脚部Ｌの先端部を径方向に押し広げることができる。これにより、ロアパネルＬＰに対するインタロック性を確保することができる。
【００２７】
また、駆動機構Ｓにより、ポンチＰおよび中央ピンＤ３の移動のタイミングや移動量が制御できることから、締結初期段階においては、セルフピアッシングリベットＳＰＲの脚部Ｌの先端部がロアパネルＬＰを貫通したり、締結終盤においては、セルフピアッシングリベットＳＰＲの脚部Ｌの先端部の広がりが弱かったりといった不具合が少なくなる。
また、中央ピンＤ３の移動のタイミングや移動量を制御することで、ダイＤの体積や、セルフピアッシングリベットＳＰＲの脚部Ｌ内への被締結板材の充填を最適な環境に整えることができるので、一つのダイＤの仕様により、複数種類の板組みの組み合わせやセルフピアッシングリベットの形状に対応することができる。
【００２８】
以上、本発明は、前記実施形態に限定されることなく、様々な形態で実施される。
本実施形態では、中央ピンＤ３の移動手段やポンチＰの駆動機構は、油圧機構における油圧室に油圧を供給する電磁弁やギヤ機構におけるギヤを駆動するモータを電気信号を用いて制御する機構としたが、本発明はこれに限定されるものではない。また、被締結板材、ダイＤ、中央ピンＤ３、ポンチＰ等の形状、材質等は適宜変更可能である。さらに、本実施形態では、被締結板材はアッパパネルＵＰとロアパネルＬＰからなる２枚組で構成しているが、本発明はこれに限定されず、たとえば、３枚組以上の被締結板材についても、本発明は適用できる。
【００２９】
図４の駆動機構Ｓの制御は、オープン制御であっても、たとえば、予め設定されたポンチＰの目標位置と、ポンチ位置センサが検出した実際のポンチＰの位置との偏差をとった位置フィードバック制御であってもよい。もちろん、コンピュータを用いないメカニカルな駆動機構であってもよい。同様にして、中央ピンＤ３の制御についても、オープン制御であってもフィードバック制御であってもよい。また、図５のフローチャートは一例であり、いかようにでも駆動させることができる。たとえば、Ｓ６，Ｓ７においては、ポンチＰを保持しながら中央ピンＤ３を上昇するようにしたが、ポンチＰを下げつつ、中央ピンＤ３を上昇するようにしてもよい。
また、駆動機構Ｓにおけるポンチ位置センサ１４は、ポンチＰの高さ位置を検出できるものであれば、特定のものに限定されることはない。同様にして、本実施形態では設けなかったが、中央ピンＤ３の位置センサを設けることも可能である。なお、ポンチ位置センサ１４は、駆動機構Ｓにおいて必須ではなく、ポンチＰの駆動は、中央ピンＤ３を駆動したように、タイマー動作にしてもよい。
さらに本実施形態では、ポンチＰが駆動するようにしたが、ダイＤと中央ピンＤ３が駆動するようにしてもよい。
【００３０】
【発明の効果】
本発明によれば、アッパパネルの打抜き性を確保しつつ、ロアパネルとのインタロック性を充分に確保して、高強度の継手を得るとともに、一つのダイの仕様により数種類の板組みの組み合わせ等に対応できるセルフピアッシングリベット締結装置および締結方法を提供することができる。
【図面の簡単な説明】
【図１】（ａ）は、本発明の実施形態に係るセルフピアッシングリベット締結装置の斜視図、（ｂ）は、セルフピアッシングリベットの斜視図である。
【図２】（ａ）は、本発明の実施形態に係るセルフピアッシングリベット締結装置のダイの斜視図、（ｂ）は、ダイが有する中央ピンの拡大斜視図である。
【図３】各図は、本実施形態にかかるセルフピアッシングリベット締結装置を用いたセルフピアッシングリベットＳＰＲによる被締結板材の締結工程図である。（ａ）は、ダイに被締結板材を載置した断面図、（ｂ）は、セルフピアッシングリベットがアッパパネルを打ち抜く際の断面図、（ｃ）は、セルフピアッシングリベットＳＰＲが打ち込まれた被締結板材がキャビティ凹部Ｄ２内に充填される際の断面図、（ｄ）は、中央ピンＤ３が所定の位置まで移動することにより、セルフピアッシングリベットＳＰＲの脚部Ｌの先端部を径方向に押し広げ、締結が完了した際の断面図である。
【図４】駆動機構Ｓの構成を示すブロック図である。
【図５】駆動機構Ｓを駆動するためのフローチャートである。
【符号の説明】
１　　　　セルフピアッシングリベット締結装置
１１　　　制御装置
１２　　　ポンチ用アクチュエータ
１３　　　中央ピン用アクチュエータ
Ｃ　　　　軸線
Ｄ　　　　ダイ
Ｄ１　　　受圧面
Ｄ２　　　キャビティ凹部
Ｄ３　　　中央ピン
Ｄ４　　　貫通穴
Ｐ　　　　ポンチ
Ｓ　　　　駆動機構
ＳＰＲ　　セルフピアッシングリベット
Ｈ　　　　頭部
Ｌ　　　　脚部
ＵＰ　　　アッパパネル
ＬＰ　　　ロアパネル
【図１】
2004017092.tif 000003
【図２】
2004017092.tif 000004
【図３】
2004017092.tif 000005
【図４】
2004017092.tif 000006
【図５】
2004017092.tif 000007